(57)【要約】【課題】エプロンを均一に光らせることができる浴槽を提供する。【解決手段】浴槽本体と、前記浴槽本体の少なくともいずれかの側面を覆う半透明なエプロンと、前記浴槽本体と、前記エプロンと、の間に形成された空間に配置され、光を均一に面発光させる導光板と、前記導光板の面内に向けて光を照射する光源と、を備えたことを特徴とする浴槽が提供される。【選択図】図３
2009273728.tif 000002
【特許請求の範囲】
【請求項１】
浴槽本体と、
前記浴槽本体の少なくともいずれかの側面を覆う半透明なエプロンと、
前記浴槽本体と、前記エプロンと、の間に形成された空間に配置され、光を均一に面発光させる導光板と、
前記導光板の面内に向けて光を照射する光源と、
を備えたことを特徴とする浴槽。
【請求項２】
前記導光板は、前記エプロンに対して垂直に見た場合において、前記エプロンの全体に配置されてなることを特徴とする請求項１記載の浴槽。
【請求項３】
前記光源は、前記導光板の上端部と下端部とに配置され、前記上端部の光源と、前記下端部の光源と、は互いに対向する方向に光を照射するように配置されてなることを特徴とする請求項１または２に記載の浴槽。
【請求項４】
前記導光板は、前記浴槽本体に対向する面にドットパターンを有し、
前記導光板の内部に入射した光を前記ドットパターンにおいて乱反射させることを特徴とする請求項１〜３のいずれか１つに記載の浴槽。
【請求項５】
前記浴槽本体と、前記導光板と、の間に形成された空間に配置され、前記エプロンに向けて光を反射する反射板をさらに備えたことを特徴とする請求項１〜４のいずれか１つに記載の浴槽。
【請求項６】
前記エプロンは、光沢性を有することを特徴とする請求項５記載の浴槽。
【請求項７】
前記光源は、ＬＥＤからなることを特徴とする請求項１〜６のいずれか１つに記載の浴槽。
【請求項８】
前記浴槽本体の上方に配置された半透明なリムをさらに備え、
前記導光板は、前記エプロンに対向する面が斜め上方を向くように配置され、前記リムを照射可能とされてなることを特徴とする請求項１〜７のいずれか１つに記載の浴槽。
【請求項９】
前記リムは、前記導光板の上端部よりも前記エプロンの側に配置されてなることを特徴とする請求項８記載の浴槽。
【発明の詳細な説明】
【技術分野】
【０００１】
本発明の態様は、一般的に、浴槽に関し、具体的には照明を使ってエプロンなどの浴槽本体の側面を光らせることができる浴槽に関する。
【背景技術】
【０００２】
照明を使って浴槽や洗い場などを光らせたりあるいは照らすことで、視覚的効果を狙った浴槽がある。例えば、浴槽内に設けた照明を使って、その浴槽内を照らすことにより、視覚的に楽しめるという効果を狙ったものがある。また、浴槽本体の外側のエプロン部に内蔵された発光源が光ることによって、浴槽の外側に向かって光が発せられ、浴槽本体の側面が光るものがある（特許文献１）。
【０００３】
しかしながら、特許文献１に記載された浴槽において、浴槽のエプロン部の面積は広く、発光源は局部的にしか発光しないため、エプロン部全体を均一に光らせることは困難であるという問題がある。エプロン部全体を均一に光らせることができないと、発光斑が生じ、デザイン性を損ねるあるいは見栄えが悪くなるという問題がある。
【特許文献１】特開２００６−２８０８０８号公報
【発明の開示】
【発明が解決しようとする課題】
【０００４】
本発明の態様は、かかる課題の認識に基づいてなされたものであり、エプロンを均一に光らせることができる浴槽を提供する。
【課題を解決するための手段】
【０００５】
本発明の一態様によれば、浴槽本体と、前記浴槽本体の少なくともいずれかの側面を覆う半透明なエプロンと、前記浴槽本体と、前記エプロンと、の間に形成された空間に配置され、光を均一に面発光させる導光板と、前記導光板の面内に向けて光を照射する光源と、を備えたことを特徴とする浴槽が提供される。
【発明の効果】
【０００６】
本発明の態様によれば、エプロンを均一に光らせることができる浴槽が提供される。
【発明を実施するための最良の形態】
【０００７】
第１の発明は、浴槽本体と、前記浴槽本体の少なくともいずれかの側面を覆う半透明なエプロンと、前記浴槽本体と、前記エプロンと、の間に形成された空間に配置され、光を均一に面発光させる導光板と、前記導光板の面内に向けて光を照射する光源と、を備えたことを特徴とする浴槽である。  
この浴槽によれば、導光板の面内に向けて光を照射し、導光板を面発光させることで、半透明なエプロンを均一に光らせることが可能である。
【０００８】
また、第２の発明によれば、第１の発明において、前記導光板は、前記エプロンに対して垂直に見た場合において、前記エプロンの全体に配置されてなることを特徴とする浴槽である。  
この浴槽によれば、導光板はエプロン全体を光らせることができるため、半透明なエプロン全体を均一に光らせることができる。
【０００９】
また、第３の発明によれば、第１または第２の発明において、前記光源は、前記導光板の上端部と下端部とに配置され、前記上端部の光源と、前記下端部の光源と、は互いに対向する方向に光を照射するように配置されてなることを特徴とする浴槽である。  
この浴槽によれば、導光板の両端部から中心に向けて光を照射することで、導光板をより均一に光らせることができる。その結果として、エプロンをより均一に光らせることができる。
【００１０】
また、第４の発明によれば、第１〜第３のいずれか１つの発明において、前記導光板は、前記浴槽本体に対向する面にドットパターンを有し、前記導光板の内部に入射した光を前記ドットパターンにおいて乱反射させることを特徴とする浴槽である。  
この浴槽によれば、光源から発光した光がドットパターンにおいて反射して、エプロンに向かって多くの光が導かれるため、そのエプロンを明るく発光させることができる。
【００１１】
また、第５の発明によれば、第１〜第４のいずれか１つの発明において、前記浴槽本体と、前記導光板と、の間に形成された空間に配置され、前記エプロンに向けて光を反射する反射板をさらに備えたことを特徴とする浴槽である。  
この浴槽によれば、反射板において光が反射することにより、光源からの光をより多くエプロンに導くことができるため、エプロンをより明るく光らせることができる。
【００１２】
また、第６の発明によれば、第５の発明において、前記エプロンは、光沢性を有することを特徴とする浴槽である。  
この浴槽によれば、エプロンにおいても光が反射するため、エプロンと反射板との間において光の乱反射が生じ、エプロンをより均一に、あるいはより明るく光らせることができる。
【００１３】
また、第７の発明は、第１〜第６のいずれか１つの発明において、前記光源は、ＬＥＤからなることを特徴とする浴槽である。  
この浴槽によれば、省スペースに、白色ＬＥＤ、赤色ＬＥＤ、緑色ＬＥＤ、青色ＬＥＤを配置することが可能となるため、これらのＬＥＤからの光を混色させることにより、様々な色を再現することができ、高いイルミネーション効果を得ることができる。
【００１４】
また、第８の発明は、第１〜第７のいずれか１つの発明において、前記浴槽本体の上方に配置された半透明なリムをさらに備え、前記導光板は、前記エプロンに対向する面が斜め上方を向くように配置され、前記リムを照射可能とされてなることを特徴とする浴槽である。  
この浴槽によれば、半透明なリムを均一に光らせることができ、導光板の上下方向の長さを長くとることも可能である。
また、第９の発明は、第８の発明において、前記リムは、前記導光板の上端部よりも前記エプロンの側に配置されてなることを特徴とする浴槽である。  
この浴槽によれば、導光板の光を放つ面の側にリム全体が配置されていることにより、導光板において面発光した多くの光をリムに導くことができる。そのため、リムをより均一に、あるいはより明るく光らせることができる。
【００１５】
以下、本発明の実施の形態について図面を参照しつつ説明する。なお、各図面中、同様の構成要素には同一の符号を付して詳細な説明は適宜省略する。  
図１は、本発明の実施の形態にかかる浴槽を分解して眺めた分解模式図である。  
また、図２は、本実施形態にかかる浴槽の一部を分解して眺めた分解模式図である。
【００１６】
図１に表した浴槽は、エプロン１０２とリム１０４とを有する意匠板１００と、浴槽本体１１０と、口形状を有する支持板１２０と、浴槽本体１１０の側面に付設される支持部材１３０ａ、１３０ｂ、１３０ｃ、１３０ｄと、エプロン１０２とリム１０４との少なくともいずれかを光らせる光源１４０ａ、１４０ｂ、１４０ｃ、１４０ｄ、１４２ａと、光源から発光された光を反射する反射板１５０、１５２ｂ、１５２ｃ、１５２ｄと、光を均一に発光させる導光板１６０と、を備えている。
【００１７】
浴槽本体１１０は、支持板１２０の開口部１２０ａと、反射板１５０の開口部１５０ａと、に上方から挿入され適宜固定されている。支持部材１３０ｂ、１３０ｃ、１３０ｄは、後述するように、浴槽本体１１０の側面に接着剤などにより付設されている。そして、支持部材１３０ｂは光源１４０ｂを固定し、支持部材１３０ｃは光源１４０ｃを固定し、支持部材１３０ｄは光源１４０ｄを固定している。
【００１８】
導光板１６０は、図２に表したように、反射板１５０の前方に配置され、且つその前面（光を放つ面）が斜め上方を向くように配置されている。導光板１６０の上端部には光源１４０ａが配置され、下端部には光源１４２ａが配置されている。そして、光源１４０ａ、１４２ａは、後に詳述するように、導光板１６０の面に沿って内側に、すなわち導光板１６０の面内に向かってそれぞれ光を発光できる。
【００１９】
反射板１５２ｂは、図２に表した状態から、反射板１５０の右側面との間に空間が生ずるように適宜固定される。これと同様に、反射板１５２ｃ、１５２ｄは、図２に表した状態から反射板１５０の後面、左側面との間にそれぞれ空間が生ずるように適宜固定される。そして、意匠板１００は、浴槽本体１１０の側面（前面）、支持板１２０、および導光板１６０を覆い隠すように、支持板１２０および導光板１６０の外側から適宜固定される。
【００２０】
なお、意匠板１００が有するエプロン１０２とリム１０４とは、別体であってもよい。すなわち、エプロン１０２と、リム１０４と、が別体として浴槽本体１１０の前方および上方にそれぞれ設けられていても、本発明の特徴を備えている限り、本発明の範囲に包含される。
【００２１】
図３は、本実施形態の浴槽の前方の内部構造を表す断面模式図である。  
また、図４は、光源が取り付けられた導光板を表す模式図である。  
なお、図３は、図２に表した矢視Ａの方向に向かって浴槽の前方側（エプロン１０２の側）の内部を眺めた状態を表している。
【００２２】
支持部材１３０ａは、支持板１２０の下方であって、浴槽本体１１０の側面に接着剤等により付設されている。この支持部材１３０ａは、例えばアルミニウムやステンレスなどの金属からなり、支持板１２０を下方から支持している。また、支持部材１３０ａには、枠体１４４ａがねじ等により固定されている。そして、枠体１４４ａは光源１４０ａを固定しつつ、導光板１６０の上端部を固定している。枠体１４４ａは、例えばアルミニウムなどの金属からなり、光源１４０ａから発光された光を反射することができる。そのため、光源１４０ａから発光された光は、矢印Ｃの如く、直接的に導光板１６０の端部から面内に向かって入射したり、あるいは直接的に導光板１６０に入射しない光であっても、枠体１４４ａで反射されることによって、間接的に導光板１６０の端部から面内に向かって入射できる。
【００２３】
一方、浴槽本体１１０の下方には浴槽受け部１１２が適宜設けられており、この浴槽受け部１１２にはエプロン受け部１１４が固定されている。そして、エプロン受け部１４２ａには、枠体１４６ａがねじ等により固定されている。枠体１４６ａは、枠体１４４ａと同様に、光源１４２ａを固定しつつ、導光板１６０の下端部を固定している。枠体１４６ａは、例えばアルミニウムなどの金属からなり、光源１４２ａから発光された光を反射することができる。そのため、光源１４２ａから発光された光は、矢印Ｄの如く、直接的に導光板１６０の端部から面内に向かって入射したり、あるいは直接的に導光板１６０に入射しない光であっても、枠体１４６ａで反射されることによって、間接的に導光板１６０の端部から面内に向かって入射できる。
【００２４】
導光板１６０は、例えばアクリル樹脂などからなる。また、その後面（光を放つ面に対向した面）１６０ｇには、図４に表したように、ドットパターン１６２が所定間隔で後面１６０ｇの全体に設けられている。ドットパターン１６２は、例えばシルク印刷などによって成形されている。導光板１６０は、端部から入射した光をドットパターン１６２において乱反射させ、二次光源として面発光させることができる。すなわち、光源１４０ａ、１４２ａから発光された光は、導光板１６０の端部から入射し、導光板１６０の後面に設けられたドットパターン１６２よって乱反射させられて、照度が均一になった状態で導光板１６０の前面（光を放つ面）１６０ｆから出射していく。そして、エプロン１０２に対して垂直に見た場合において、導光板１６０はエプロン１０２の全体に配置されている。そのため、導光板１６０は、エプロン１０２の浴槽本体１１０に対向した側の面全体を光らせることができる。
【００２５】
光源１４０ａ、１４２ａとしては、例えば、白色、赤色（Ｒ）、緑色（Ｇ）、青色（Ｂ）の光を発光するＬＥＤ（Light Emitting Diode）を使用することができる。これによれば、光源１４０ａ、１４２ｂは、それぞれの単色の光や、それらを組み合わせた色の光を発光することができる。そして、光源１４０ａ、１４２ｂから導光板１６０に入射した光は、波長が均一になった状態で、すなわち均一に混色された状態で導光板１６０の前面（光を放つ面）１６０ｆから出射していく。そのため、様々な色を再現することができ、高いイルミネーション効果を得ることができる。
【００２６】
ここで、白色の光を発光する白色ＬＥＤとしては、例えば、青色の光を発光する青色ＬＥＤと、青色の光を受けると黄色の光を発光する黄色蛍光体と、を組み合わせたものを挙げることができる。これは、青色の光と、黄色の光と、を混色させることにより、白色の光を再現するものである。また、他の白色ＬＥＤとしては、例えば、近紫外線（紫色）の光を発光する紫色ＬＥＤと、近紫外線を受けると赤色、緑色、青色の光をそれぞれ発光する赤色蛍光体、緑色蛍光体、青色蛍光体と、を組み合わせたものを挙げることができる。これは、近紫外線を受けて発光した赤色、緑色、青色の光を混色させることにより、白色の光を再現するものである。さらに、他の発光原理からなる白色ＬＥＤを使用してもよい。
【００２７】
ここで、導光板１６０の前方に配置されたエプロン１０２は半透明板からなる。なお、本願明細書において「半透明」とは、光源から発光した光の少なくとも一部を透過させ得る性質をいう。そのため、導光板１６０から出射した光の一部は、矢印Ｅの如く、エプロン１０２を通過する。そして、エプロン１０２は半透明板であるため、エプロン１０２を通過した光の照度は、間接照明の如く、少し緩和された状態となる。そのため、視覚的効果の優れた幻想的な空間を提供することができる。なお、エプロン１０２は半透明であれば、例えば乳白色などの色を呈していてもよい。これによれば、エプロン１０２は、様々な色のデザインを有することができる。
【００２８】
一方、エプロン１０２が光沢性を有する場合には、導光板１６０から出射した光の他の一部は、エプロン１０２によって反射される。なお、本願明細書において「光沢性」とは、光源から発光した光の一部を反射させうる性質をいう。エプロン１０２によって反射された光は、導光板１６０の後方に配置された反射板１５０によって反射され、再びエプロン１０２に向かって進行する。そして、再びエプロン１０２に向かって進行した光の一部は、矢印Ｆの如く、エプロン１０２を通過する。エプロン１０２によってさらに反射された光は、矢印Ｇの如く、反射板１５０によって２回反射されてエプロン１０２を通過する。図３においては、一部の光のみを図示したが、このような光の乱反射が、反射板１５０の全面において繰り返される。なお、反射板１５０は、例えば、光沢のある樹脂などからなる。
【００２９】
これによれば、光源１４０ａ、１４２ａから発光された光は、導光板１６０によって照度的にも波長的にも均一化され、さらに反射板１５０の全面において乱反射されるため、エプロン１０２の全体を均一に光らせることができる。したがって、エプロン１０２を通過した光において発光斑が生ずるおそれは少なく、浴槽のデザイン性や視覚的効果が損なわれたり、浴槽の見栄えが悪くなるというおそれは少ない。
【００３０】
また、導光板１６０は、図３に表したように、その前面１６０ｆが斜め上方を向くように傾斜して固定されている。そのため、導光板１６０から出射した光の多くは、斜め上方に向かって出射される。さらに、斜めに固定されているため、導光板１６０の上下方向の長さを長くとることができる。そして、斜め上方に向かって出射された光の一部は、直接的に、あるいは反射板１５０やエプロン１０２によって乱反射されて間接的に、支持板１２０に入射する。ここで、支持板１２０は透明板からなる。そのため、支持板１２０は、入射した光の一部を上方へ通過させることができ、導光板１６０の同様に、照度的にも波長的にも均一な光を出射できる。
【００３１】
ここで、意匠板１００のリム１０４は、エプロン１０２と同様に半透明板からなる。また、リム１０４は、導光板１６０の上端部よりもエプロン１０２側に配置されている。すなわち、リム１０４の後面１０４ａは、導光板１６０の上端部よりも前方側（エプロン１０２側）に配置されている。そのため、支持板１２０を通過した光の一部は、矢印Ｈ、Ｉ、Ｊの如く、リム１０４を通過する。そして、リム１０４は半透明板であるため、リム１０４を通過した光の照度は、間接照明の如く、少し緩和された状態となる。そのため、エプロン１０２を通過した光と同様の視覚的効果を得ることができる。
【００３２】
また、支持板１２０とリム１０４との少なくともいずれかによって反射された光は、前述のように、反射板１５０によって乱反射され、再びリム１０４に向かって進行する。そのため、エプロン１０２と同様に、導光板１６０の上方のリム１０４を均一に光らせることができる。このように、本実施形態にかかる浴槽は、エプロン１０２と、リム１０４と、浴槽本体１１０と、の間に囲まれた空間に導光板１６０と、反射板１５０と、を設けることにより、エプロン１０２および導光板１６０の上方のリム１０４を均一に光らせることができる。
【００３３】
図５は、本実施形態の浴槽の右側方の内部構造を表す断面模式図である。  
なお、図５は、図２に表した矢視Ｂの方向に向かって浴槽の右側方の内部を眺めた状態を表している。
【００３４】
支持部材１３０ｂは、支持部材１３０ａと同様に、支持板１２０の下方であって、浴槽本体１１０の側面に接着剤等により付設されている。支持部材１３０ｂには、枠体１４４ｂがねじ等により固定されており、枠体１４４ａは光源１４０ｂを固定している。枠体１４４ｂは、枠体１４４ａと同様に、例えばアルミニウムなどの金属からなり、光源１４０ｂから発光された光を反射することができる。これにより、光源１４０ｂから発光された光は、直接的に、あるいは枠体１４４ｂに反射されて間接的に、反射板１５０と、反射板１５２ｂと、の間に囲まれた空間に出射される。つまり、光源１４０ｂから発光された光は、略下方に向かって出射される。
【００３５】
ここで、光源１４０ｂは、光源１４０ａ、１４２ａと同様に、白色、赤色、緑色、青色の光を発光するＬＥＤを使用することができる。これによれば、光源１４０ｂは、光源１４０ａ、１４２ａと同様に、それぞれの単色の光や、それらを組み合わせた色の光を発光することができる。
【００３６】
そして、光源１４０ｂから発光された光は、反射板１５０と反射板１５２ｂとの少なくともいずれかによって反射される。図５においては、一部の光のみを図示したが、このような光の乱反射が、反射板１５０および反射板１５２ｂの全面において繰り返される。このようにして、乱反射した光は波長が均一になった状態で、すなわち均一に混色された状態で支持板１２０に入射する。支持板１２０は、前述のように、透明板からなるため、入射した光の一部を上方へ通過させることができ、導光板１６０の同様に、照度的にも波長的にも均一な光を出射できる。
【００３７】
意匠板１００のリム１０４は、前述のように、半透明板からなるため、支持板１２０を通過した光の一部はリム１０４を通過する。リム１０４は半透明板であるため、リム１０４を通過した光の照度は、少し緩和された状態となる。そのため、光源１４０ｂから発光された光は、光源１４０ｂの上方のリム１０４を均一に光らせることができ、エプロン１０２を通過した光と同様の視覚的効果を得ることができる。
【００３８】
さらに、光源１４０ｂから発光された光は略下方に向かって出射されるため、光源１４０ｂからの光が直接的にリム１０４から出射することはない。つまり、リム１０４を通過した光は、光源１４０ｂから発光された光が反射板１５０あるいは反射板１５２ｂによって少なくとも１回は反射されたものである。したがって、光源１４０ｂから発光され、且つリム１０４を通過した光は間接照明となり、視覚的効果の優れた幻想的な空間を提供することができる。
【００３９】
一方、支持板１２０とリム１０４との少なくともいずれかによって反射された光は、再び反射板１５０と反射板１５２ｂとの少なくともいずれかによって反射された後、リム１０４を通過することができる。
【００４０】
図５に関しては、浴槽の右側方の内部において生ずる発光作用、反射作用、およびそれらの効果について説明したが、浴槽の後方および左側方においても同様の発光作用、反射作用、およびそれらの効果が生ずる。したがって、本実施形態の浴槽は、リム１０４の全周囲を均一に光らせることができる。
【００４１】
次に、本実施形態の変形例について、図面を参照しつつ説明する。  
図６は、本実施形態にかかる浴槽の変形例を表す模式図である。  
図６に表した変形例の浴槽は、図１に表した浴槽に対して、右側方、後方、および左側方においても導光板１６０ｂ、１６０ｃ、１６０ｄを備えている。また、導光板１６０ｂの上端部には、光源１４０ｂが支持部材１３０ｂに固定された状態で配置され、導光板１６０ｂの下端部には、光源１４２ｂが配置されている。これと同様にして、導光板１６０ｃ、１６０ｄの上端部には、光源１４０ｃ、１４０ｄがそれぞれ支持部材１３０ｃ、１３０ｄに固定された状態で配置され、導光板１６０ｃ、１６０ｄの下端部には、光源１４２ｃ、１４２ｄがそれぞれ配置されている。
【００４２】
一方、意匠板１０６は、図１に表した意匠板１００に対して、右側方、後方、および左側方においてもそれぞれエプロン１０２ｂ、１０２ｃ、１０２ｄを有している。そして、浴槽本体１１０は、支持板１２０の開口部１２０ａと、反射板１５０の開口部１５０ａと、に上方から挿入され適宜固定され、意匠板１０６は浴槽本体１１０の全側面、支持板１２０、および導光板１６０ａ、１６０ｂ、１６０ｃ、１６０ｄを覆い隠すように、支持板１２０および導光板１６０ａ、１６０ｂ、１６０ｃ、１６０ｄの外側から適宜固定される。その他の構造については、図１に表した浴槽と同様である。
【００４３】
これによれば、図３および図４に関して説明した発光作用および反射作用と同様にして、光源１４０ｂから発光された光は、導光板１６０ｂによって照度的にも波長的にも均一化され、さらに反射板１５０の全面において乱反射されるため、エプロン１０２ｂの全体を均一に光らせることができる。また、導光板１６０ｂは、図６に表したように、その前面（光を放つ面）が斜め上方を向くように傾斜して固定されている。そのため、エプロン１０２ｂと同様に、導光板１６０ｂの上方のリム１０４を均一に光らせることができる。
【００４４】
これと同様にして、導光板１６０ｃは、エプロン１０２ｃと、導光板１６０ｃの上方のリム１０４と、を均一に光らせることができ、導光板１６０ｄは、エプロン１０２ｄと、導光板１６０ｄの上方のリム１０４と、を均一に光らせることができる。したがって、本変形例の浴槽は、エプロン１０２ａ、１０２ｂ、１０２ｃ、１０２ｄと、リム１０４の全周囲を均一に光らせることができる。これによれば、意匠板１００全体が均一に光るため、発光斑が生ずるおそれは少なく、より一層高いイルミネーション効果を得ることができる。
【００４５】
次に、反射板の変形例について、図面を参照しつつ説明する。  
図７は、反射板の変形例を表す模式図である。  
図７に表した反射板１５４は、図１に表した反射板１５２ｂ、１５２ｃ、１５２ｄが一体化された構造を有する。つまり、反射板１５４は、反射板１５０の右側面、後面、および左側面に対向する面を一体的に有する。
【００４６】
これによれば、図１に表した浴槽における、反射板１５２ｂ（右側面）と反射板１５２ｃ（後面）との当接部分（境界部分）から光が抜けないため、光源１４０ｂ、１４０ｃから発光した光をより効率よくリム１０４に向かって反射することができる。これと同様に、反射板１５２ｃ（後面）と反射板１５２ｄ（左側面）との当接部分（境界部分）から光が抜けないため、光源１４０ｃ、１４０ｄから発光した光をより効率よくリム１０４に向かって反射することができる。なお、反射板１５４は、反射板１５０と同様に、光沢のある樹脂などにより成形できる。
【００４７】
図８は、反射板の他の変形例を表す模式図である。  
図８に表した反射板１５６は、図１に表した反射板１５０、１５２ｂ、１５２ｃ、１５２ｄが一体化された構造を有する。つまり、図７に表した反射板１５０と、反射板１５４と、が一体化された構造を有する。これは、例えば図５に表したように、対向する反射板同士（図５においては、反射板１５０と反射板１５０ｂ）が上方に向かって広がる方向の傾斜、いわゆる「抜き勾配」を有することにより成形できる。
【００４８】
これによれば、図１に表した浴槽における、反射板１５０と反射板１５２ｂとの当接部分から光が抜けないため、光源１４０ｂから発光した光をより効率よくリム１０４に向かって反射することができる。これと同様に、反射板１５０と反射板１５２ｃとの当接部分、および反射板１５０と反射板１５２ｄとの当接部分からそれぞれ光が抜けないため、光源１４０ｃ、１４０ｄから発光した光をそれぞれより効率よくリム１０４に向かって反射することができる。
【００４９】
さらに、反射板１５２ｂと反射板１５２ｃとの当接部分、および反射板１５２ｃと反射板１５２ｄとの当接部分から光が抜けないため、図７に表した反射板１５４と同様に、光源１４０ｂ、１４０ｃ、１４０ｄから発光した光をより効率よくリム１０４に向かって反射することができる。
【００５０】
以上説明したように、本実施形態によれば、エプロン１０２と、リム１０４と、浴槽本体１１０と、の間に囲まれた空間に導光板１６０と、反射板１５０と、を設けることにより、エプロン１０２および導光板１６０の上方のリム１０４を均一に光らせることができる。また、エプロン１０２が配置されていない側面においても、光源１４０ｂ、１４０ｃ、１４０ｄ、および反射板１５２ｂ、１５２ｃ、１５２ｄを適宜設けることにより、光源１４０ｂ、１４０ｃ、１４０ｄのそれぞれの上方のリム１０４を均一に光らせることができる。結果として、リム１０４の全周囲を均一に光らせることができる。
【００５１】
以上、本発明の実施の形態について説明した。例えば、光源として使用されるＬＥＤは、白色ＬＥＤを有さず、赤色ＬＥＤ、緑色ＬＥＤ、青色ＬＥＤの３つだけ有するものでもよい。また例えば、光源は導光板１６０の上端部および下端部だけではなく、左端部と右端部との少なくともいずれかに設けられていてもよい。  
【図面の簡単な説明】
【００５２】
【図１】本発明の実施の形態にかかる浴槽を分解して眺めた分解模式図である。
【図２】本実施形態にかかる浴槽の一部を分解して眺めた分解模式図である。
【図３】本実施形態の浴槽の前方の内部構造を表す断面模式図である。
【図４】光源が取り付けられた導光板を表す模式図である。
【図５】本実施形態の浴槽の右側方の内部構造を表す断面模式図である。
【図６】本実施形態にかかる浴槽の変形例を表す模式図である。
【図７】反射板の変形例を表す模式図である。
【図８】反射板の他の変形例を表す模式図である。
【符号の説明】
【００５３】
１００ 意匠板、  １０２ 、１０２ａ、１０２ｂ、１０２ｃ、１０２ｄ エプロン、  １０４ リム、  １０４ａ 後面、  １０６ 意匠板、  １１０ 浴槽本体、  １１２ 浴槽受け部、  １１４ エプロン受け部、  １２０ 支持板、  １２０ａ 開口部、  １３０ａ、１３０ｂ、１３０ｃ、１３０ｄ 支持部材、  １４０ａ、１４０ｂ、１４０ｃ、１４０ｄ、１４２ａ、１４２ｂ、１４２ｃ、１４２ｄ 光源、  １４４ａ、１４４ｂ、１４６ａ 枠体、  １５０ 反射板、  １５０ａ 開口部、  １５２ｂ、１５２ｃ、１５２ｄ、１５４、１５６ 反射板、  １６０、１６０ａ、１６０ｂ、１６０ｃ、１６０ｄ 導光板、  １６０ｆ 前面、  １６０ｇ 後面、  １６２ ドットパターン
【図１】
2009273728.tif 000003
【図２】
2009273728.tif 000004
【図３】
2009273728.tif 000005
【図４】
2009273728.tif 000006
【図５】
2009273728.tif 000007
【図６】
2009273728.tif 000008
【図７】
2009273728.tif 000009
【図８】
2009273728.tif 000010